(57)【要約】【課題】相互に干渉することなく複数の音楽コンテンツを再生させる。【解決手段】コンテンツ再生制御部２０は楽曲が有する特徴量に関する特徴量データおよび各特徴量間の干渉度を定義する干渉度テーブルを用いて前席のスピーカー１１に対して出力させる楽曲と干渉し難い楽曲を後席のスピーカー１３に対して出力させる。【選択図】  図１
2006101441.tif 000002
【特許請求の範囲】
【請求項１】
各音楽コンテンツが有する物理量に関する物理量データおよび各物理量間の干渉度を定義するテーブルを用いて一の出力部に対して出力させる音楽コンテンツに応じて何れの音楽コンテンツを他の出力部に出力させるかを制御する制御手段を備える音楽コンテンツ再生装置。
【請求項２】
請求項１記載の音楽コンテン再生装置であって、
前記制御手段は、一の出力部に対して出力させる音楽コンテンツと他の出力部に出力させる音楽コンテンツとの間の干渉度が予め定めた閾値範囲に収まるように再生する音楽コンテンツを選択する音楽コンテンツ再生装置。
【請求項３】
請求項１または２記載の音楽コンテンツ再生装置であって、
前記制御手段は、一の出力部に対して出力させる音楽コンテンツに応じて他の出力部に出力させる音楽コンテンツの選択を干渉度の低い順に行う音楽コンテンツ再生装置。
【請求項４】
請求項１ないし３の何れか一項記載の音楽コンテンツ再生装置であって、
前記制御手段は、ヘッドフォン又はイヤフォンが接続されている場合は、一の出力部に対して出力させる音楽コンテンツに応じて他の出力部に出力させる音楽コンテンツの選択を停止する音楽コンテンツ再生装置。
【請求項５】
請求項１ないし４の何れか一項記載の音楽コンテンツ再生装置であって、
各物理量間の干渉度が予め定めた範囲を超える場合は、少なくとも他の出力部に出力させる音楽コンテンツの音量を小さくする音楽コンテンツ再生装置。
【請求項６】
コンピュータを、各音楽コンテンツが有する物理量に関する物理量データおよび各物理量間の干渉度を定義するテーブルを用いて一の出力部に対して出力させる音楽コンテンツに応じて他の出力部に出力可能な音楽コンテンツを選択する選択手段として機能させるためのプログラム。
【発明の詳細な説明】
【技術分野】
【０００１】
本発明は、自動車等に搭載される音楽コンテンツ再生装置に関する。
【背景技術】
【０００２】
従来、自動車等の車両に搭載される音楽コンテンツ再生装置には、前席と後席で異なる音楽コンテンツを再生できるようにしたものがある。この種の装置では、後席で前席と異なる音楽コンテンツを再生する場合、ヘッドフォンやイヤフォンを利用するようにしている。
【０００３】
一方、ヘッドフォン等を使用しないで音楽を聴くことができるようにした音像定位方式と呼ばれる技術が提案されている（例えば、特許文献１参照）。この技術は、パラメトリックスピーカーを前席シート背面に配置して、後席頭部に指向性を持った音響空間を形成するものである。この技術により、ある程度、音響範囲を制限できるようになった。
【０００４】
【特許文献１】特開平５−３４５５４９号公報
【発明の開示】
【発明が解決しようとする課題】
【０００５】
しかしながら、音像定位方式を用いて、前席と後席とで異なる音楽コンテンツを再生する際、前後の席それぞれで再生する音楽によっては、互いに或いはいずれか一方から他方に影響を与えてしまうことがある。例えば、前席でクラシックを再生し、後席でロックを再生すると、干渉が生じて聞き難くなってしまう。また、同一ジャンル同士や激しい曲同士を再生した場合に主観的に聞き難く感じることがある。
【０００６】
本発明は、上記事情に鑑みてなされたものであり、相互に干渉することなく複数の音楽コンテンツを再生させることができる音楽コンテンツ再生装置を提供することを目的とする。
【課題を解決するための手段】
【０００７】
本発明は、各音楽コンテンツが有する物理量に関する物理量データおよび各物理量間の干渉度を定義するテーブルを用いて一の出力部に対して出力させる音楽コンテンツに応じて何れの音楽コンテンツを他の出力部に出力させるかを制御する制御手段を備える。この構成によれば、各音楽コンテンツが有する物理量間の干渉度を定義する干渉テーブルを用いて一の出力部に出力させる音楽コンテンツと他の出力部に出力させる音楽コンテンツとが選択されるため、相互に干渉させることなく複数の音楽コンテンツの再生が可能となる。
【発明の効果】
【０００８】
本発明によれば、各音楽コンテンツが有する物理量間の干渉度を定義する干渉テーブルを用いて一の出力部に出力させる音楽コンテンツと他の出力部に出力させる音楽コンテンツとが選択されるため、相互に干渉させることなく複数の音楽コンテンツの再生が可能となる。
【発明を実施するための最良の形態】
【０００９】
（実施の形態１）
図１は、本発明の実施の形態１に係る音楽コンテンツ再生装置の概略構成を示すブロック図である。この図において、本実施の形態の音楽コンテンツ再生装置１００は、前席用の入出力装置１０と、前席用のスピーカー１１と、後席用の入出力装置１２と、後席用のスピーカー１３と、後席用のヘッドフォン１４と、音声出力制御部１５と、ヘッドフォン接続検知部１６と、コンテンツデータ記憶部１７と、コンテンツ特徴分類データベース１８と、コンテンツ特徴取得部１９と、コンテンツ再生制御部２０とを備えている。
【００１０】
前席用の入出力装置１０は、ディスプレイ、タッチパネル等を有し、前席で本装置１００の各機能を働かせるための操作入力、操作入力状態を示す表示、機能の実行状態を示す表示等を行う。前席用のスピーカー１１は、前席側で音響出力を行う。後席用の入出力装置１２は、ディスプレイ、タッチパネル等を有し、後席で本装置１００の各機能を働かせるための操作入力、操作入力状態を示す表示、機能の実行状態を示す表示等を行う。後席用のスピーカー１３は、後席側で音響出力を行う。後席用のヘッドフォン１４は、後席側で音楽コンテンツを聴く際に使用される。
【００１１】
音声出力制御部１５は、前席用のスピーカー１１、後席用のスピーカー１３及びヘッドフォン１４への音響信号の供給を制御するものである。音声出力制御部１５は、前席側で再生される曲については、その曲の音響信号を前席側のスピーカー１１に供給し、後席側で再生される曲については、その曲の音響信号を後席側のスピーカー１３又はヘッドフォン１４に供給する。ヘッドフォン１４が使用されていなければ後席側で再生される曲の音響信号は後席用のスピーカー１３に供給され、ヘッドフォン１４が使用されていればヘッドフォン１４に供給される。
【００１２】
ヘッドフォン接続検知部１６は、ヘッドフォン１４の装置本体の音声出力端子（図示略）への接続を検知するものであり、ヘッドフォン１４の接続を検知したときにヘッドフォン検知信号をコンテンツ再生制御部２０に入力する。コンテンツデータ記憶部１７は、ＤＶＤやＣＤ等の記録媒体からリッピングされた音楽コンテンツや、テレビ放送やラジオ放送を受信して取得した音楽コンテンツ等を保存する。コンテンツ特徴分類データベース１８は、複数の音楽コンテンツの組み合わせを示す分類テーブルを保存するものである。分類テーブルは、コンテンツデータ記憶部１７に音楽コンテンツが登録された際に作成される。
【００１３】
図２は、分類テーブルの一例を示す図である。この図には、曲（音楽コンテンツ）と、その曲の特徴を０〜１で正規化した値が登録されている。例えば、曲１では、激しさを表すパラメータが「１．０」、のりのよさを表すパラメータが「０．５」、爽やかさを表すパラメータが「０．１」、素朴さを表すパラメータが「０．２」、ソフトさを表すパラメータが「０．０」となっている。また、曲２では、激しさを表すパラメータが「０．０」、のりのよさを表すパラメータが「０．２」、爽やかさを表すパラメータが「０．５」、素朴さを表すパラメータが「０．７」、ソフトさを表すパラメータが「１．０」となっている。
【００１４】
分類テーブルは、ＣＤＤＢ(CD DataBase)やコンテンツ特徴抽出技術を用いて作成されるものであり、複数の音楽コンテンツの特徴を示す。ＣＤＤＢは、音楽ＣＤや音楽・映像ＤＶＤに収録された曲に関する情報をユーザ側に提供するためのデータベースである。ＣＤＤＢを利用する場合は、音楽コンテンツ再生装置１００に、インターネットにアクセスする機能を持たせる。
【００１５】
コンテンツ特徴抽出技術には、例えば特開２００２−２７８５４７号公報で開示されているものがある。同公報では、入力された音響信号から図３に示す８つの物理的特徴量を抽出し、抽出した特徴量を、式（１）により印象値即ち曲の主観的な印象を表現する数量に変換する。
【００１６】
【数１】
2006101441.tif 000003
【００１７】
式（１）において、Ｉｉは印象因子ｉに対する印象値、Ｐｊは特徴量ｊの値、Ｗｉｊは特徴量ｊと印象因子ｉとの関係を表す重み係数である。印象値Ｉｉは曲の主観的な印象を表す数量であり、特定の形容詞で表現されるような印象の度合い（Ｅｊとする）を集約した数量として用いる。例えば、曲の印象を「激しさ（Ｅ１）」、「のりのよさ（Ｅ２）」、「爽やかさ（Ｅ３）」、「素朴さ（Ｅ４）」。「ソフトさ（Ｅ５）」の５つの観点の度合いで表現すると、ＩｉはＥｊから式（２）で求める。
【００１８】
【数２】
2006101441.tif 000004
【００１９】
図１に戻り、コンテンツ特徴取得部１９は、コンテンツデータ記憶部１７に登録される音楽コンテンツの特徴（激しさ、のりのよさ、爽やかさ、素朴さ、ソフトさ等）を取得する。コンテンツ特徴取得部１９で取得された音楽コンテンツの特徴は上述した分類テーブルに登録される。
【００２０】
コンテンツ再生制御部２０は、楽曲１が有する特徴量に関する特徴量データおよび各特徴量間の干渉度を定義する干渉度テーブルを用いて前席のスピーカーに対して出力させる楽曲１と干渉し難い楽曲Ｎを後席のスピーカーに対して出力させる機能を有し、図示せぬＣＰＵ（中央処理装置）、ＣＰＵを制御するためのプログラムを記憶したＲＯＭ、ＣＰＵの動作において使用されるＲＡＭ等で構成される。
【００２１】
コンテンツ再生制御部２０は、コンテンツデータ記憶部１７に音楽コンテンツが記憶されている状態で前席用の入出力装置１０から音楽コンテンツを再生する操作があると、コンテンツデータ記憶部１７から音楽コンテンツを読み出して、前席のスピーカー１１を選択する選択信号とともに音声出力制御部１５に入力する。また、前席側で音楽コンテンツの再生が行われていない状態で、後席用の入出力装置１２から音楽コンテンツを再生する操作があると、コンテンツデータ記憶部１７から音楽コンテンツを読み出して後席のスピーカー１１を選択する選択信号とともに音声出力制御部１５に入力する。この際、事前にヘッドフォン接続検知部１６からヘッドフォン検知信号が入力されていた場合はヘッドフォン１４を選択する選択信号を音声出力制御部１５に入力する。また、後席のスピーカー１３を選択している最中にヘッドフォン検知信号が入力された場合には、スピーカー１３からヘッドフォン１４に切り替える。
【００２２】
また、コンテンツ再生制御部２０は、ヘッドフォン接続検知部１６を用いてヘッドフォン１４の接続の有無を判定し、ヘッドフォン１４が接続されている場合は、前席または後席に出力させる音楽コンテンツの選択を中止し、ヘッドフォン１４が接続されていない場合は、選択を実行する。また、コンテンツ再生制御部２０は、前席側で選択されている音楽コンテンツと、コンテンツデータ記憶部１７に記憶される他の音楽コンテンツとの干渉度を分類データベースを参照して求める。そして、全てについて干渉度を求めた後、干渉度が予め定めた閾値を超える音楽コンテンツの選択を中止する。
【００２３】
本実施の形態では、干渉度を式（３）により求めている。
【００２４】
【数３】
2006101441.tif 000005
【００２５】
式（３）において、ｍ，ｎは曲を示し、Ｆ(i,j)は特徴量の影響率、α(i,m)は曲ｍの特徴量、α(j,n)は曲ｎの特徴量である。特徴量の影響率Ｆ(i,j)は、図４に示す干渉度テーブルから得られる。干渉度テーブルは、２つの曲間における特徴量の影響率Ｆ(i,j)を表したものである。この図の場合は、「激しさ」同士は影響率が１００％の「１．０」、「激しさ」と「のりのよさ」は影響率が５０％の「０．５」、「激しさ」と「爽やかさ」は影響率が１０％の「０．１」、「激しさ」と「素朴さ」は影響率が２０％の「０．２」、「激しさ」と「ソフトさ」は影響率が０％の「０．０」となっている。なお、干渉度テーブルは、コンテンツ再生制御部２０に持たせてもよいし、コンテンツデータ記憶部１７あるいはコンテンツ特徴分類データベース１８に持たせても良い。
【００２６】
図２に示す分類テーブルにおいて、２つの曲間の干渉度は、一方の曲の各特徴パラメータを他方の曲の全ての特徴パラメータと乗算し、各乗算において干渉度テーブルにある特徴量の影響率ＦＦ(i,j)が乗算される。例えば、図２の分類テーブルにおける曲１と曲２の場合、次のようになる。
【００２７】
ｊ＝1
ｉ＝1，2，3，…
Ｆ(1,1)×α(1,1)×α(1,2)  →1,0×1,0×0,0
Ｆ(2,1)×α(2,1)×α(1,2)  →0,5×0,5×0,0
Ｆ(3,1)×α(3,1)×α(1,2)  →0,1×0,1×0,0
Ｆ(4,1)×α(4,1)×α(1,2)  →0,2×0,2×0,0
：
【００２８】
ｊ＝2
ｉ＝1，2，3，…
Ｆ(1,2)×α(1,1)×α(2,2)  →Ｆ(1,2)は値無し
Ｆ(2,2)×α(2,1)×α(2,2)  →1,0×0,5×0,2
Ｆ(3,2)×α(3,1)×α(2,2)  →0,8×1,0×0,2
Ｆ(4,2)×α(4,1)×α(2,2)  →Ｆ(4,2)は値無し
：
【００２９】
以上のようにして２つの曲間の干渉度を求める。
【００３０】
図５は、干渉する曲を取り除く処理を示すフローチャートである。後席で曲リスト表示要求があると（ステップＳ１０）、前席での再生曲の特徴量を取得する（ステップＳ１１）。次に、ヘッドフォン接続検知部１６からのヘッドフォン検知信号の有無に基づいてヘッドフォン１４の接続の有無を判定し（ステップＳ１２）、ヘッドフォン１４が接続されている場合は曲リストを編集することなく表示する（ステップＳ１３）。これに対してヘッドフォン１４が接続されていない場合は、曲リストサーチを開始する（ステップＳ１４）。まず曲リストに含まれる曲１と前席再生曲との間の干渉度を算出する（ステップＳ１５）。
【００３１】
次に、算出した干渉度が所定の閾値Ｔｈを超える大きさかどうか判定し（ステップＳ１６）、閾値Ｔｈ以下の場合はステップＳ１４に戻り、閾値Ｔｈ以上の場合は曲１を曲リストから削除する（ステップＳ１７）。以後、選択された全ての曲それぞれに対して上記ステップＳ１４〜ステップＳ１７の処理を繰り返し、干渉度が閾値Ｔｈを超える曲については曲リストから削除することにより編集した曲リストを生成する。そして、生成した曲リストを後席用の入出力装置１２に出力しディスプレイ上に表示させる（ステップＳ１３）。
【００３２】
本実施の形態の音楽コンテンツ再生装置によれば、前席側と後席側それぞれで同時に再生しようとする複数の音楽コンテンツを選択する際に、干渉度テーブルを参照することで、相互に干渉のない音楽コンテンツの選択が可能となる。
【００３３】
なお、上記実施の形態では、前席側又は後席側のいずれかにおいて、再生中の曲を最後まで聴くことなく途中で切り替えた場合、切り替え後の曲によっては干渉が生じてしまう場合がある。このような状態を各音楽コンテンツ間の干渉度を参照して検知し、後に切り替えた音楽コンテンツのみ又は双方の音楽コンテンツの再生音量を絞ることにより、干渉を低減できる。
【００３４】
（実施の形態２）
図６は、本発明の実施の形態２に係る音楽コンテンツ再生装置の概略構成を示すブロック図である。この図において、本実施の形態の音楽コンテンツ再生装置２００は、本装置が搭載される車両の走行状態を取得する走行状態取得部２１を備えている点が上述した実施の形態１の音楽コンテンツ再生装置と異なっており、その他の点については同一である。
【００３５】
走行状態取得部２１は、例えば車速が８ｋｍ／ｈ以下で、車両のパーキングブレーキが掛けられている場合を停車状態とし、車速が８ｋｍ／ｈを超える場合は走行状態とする。このようにして車両の走行状態を取得し、取得した走行状態をコンテンツ再生制御部２０Ｂに入力する。コンテンツ再生制御部２０Ｂは、現在の車両の走行状態を加味することにより、音楽コンテンツの再生環境に応じて決定したパラメータに基づいて、２つの音楽コンテンツ間の干渉度を算出する。例えば、高速道路を走行しているとき等、高速走行中は周辺ノイズが大きいので、干渉度の制限を緩くするように、車速に応じて特徴パラメータを変更する。
【００３６】
特徴パラメータの変更は、例えば図７に示す車速影響度テーブルを用いて行う。この車速影響度テーブルでは、例えば「激しさ」を示す特徴パラメータは、停車時は「１．０」、８ｋｍ／ｈ以下の時は「０．８」、８ｋｍ／ｈを超え５０ｋｍ／ｈ以下の時は「０．６」、５０ｋｍ／ｈを超え９０ｋｍ／ｈ以下の時は「０．４」、９０ｋｍ／ｈを超え１１０ｋｍ／ｈ以下の時は「０．２」、１１０ｋｍ／ｈを超える時は「０．０」となっている。
【００３７】
車速の影響を考慮したときの干渉度は、式（４）により得られる。
【００３８】
【数４】
2006101441.tif 000006
【００３９】
このように、本実施の形態の音楽コンテンツ再生装置２００によれば、車速に応じて決定した特徴パラメータに基づいて干渉度を算出することにより、音楽コンテンツ再生装置２００の再生環境に適した曲リストを生成することができる。
【産業上の利用可能性】
【００４０】
本発明の音楽コンテンツ再生装置は、各音楽コンテンツが有する物理量間の干渉度を定義する干渉テーブルを用いて一の出力部に出力させる音楽コンテンツと他の出力部に出力させる音楽コンテンツとが選択されるため、相互に干渉させることなく複数の音楽コンテンツの再生が可能となるという効果を有し、自動車等に搭載される音楽コンテンツ再生装置等として有用である。
【図面の簡単な説明】
【００４１】
【図１】本発明の実施の形態１に係る音楽コンテンツ再生装置の概略構成を示すブロック図
【図２】実施の形態１に係る音楽コンテンツ再生装置で用いられる分類テーブルの一例を示す図
【図３】音楽コンテンツの特徴抽出技術を説明するための図
【図４】実施の形態１に係る音楽コンテンツ再生装置で用いられる干渉度テーブルの一例を示す図
【図５】実施の形態１に係る音楽コンテンツ再生装置の動作を説明するためのフローチャート
【図６】本発明の実施の形態２に係る音楽コンテンツ再生装置の概略構成を示すブロック図
【図７】実施の形態２に係る音楽コンテンツ再生装置で用いられる速度影響度テーブルの一例を示す図
【符号の説明】
【００４２】
１００、２００  音楽コンテンツ再生装置
１０、１２  入出力装置
１１、１３  スピーカー
１４  ヘッドフォン
１５  音声出力制御部
１６  ヘッドフォン接続検知部
１７  コンテンツデータ記憶部
１８  コンテンツ特徴分類データベース
１９  コンテンツ特徴取得部
２０、２０Ｂ  コンテンツ再生制御部
２１  走行状態取得部
【図１】
2006101441.tif 000007
【図２】
2006101441.tif 000008
【図３】
2006101441.tif 000009
【図４】
2006101441.tif 000010
【図５】
2006101441.tif 000011
【図６】
2006101441.tif 000012
【図７】
2006101441.tif 000013